(57)【要約】【課題】複数のお手玉を使って遊戯の幅を広げ身体改善をはかる。各粒状体の遠赤外線効果、抗菌効果、消臭効果を複数のお手玉に完全に分けて、各効果が相殺されない。【解決手段】３つのお手玉１、２、３それぞれに内蔵される粒状体６、７、８の大きさ、硬さ、比重、形状は異なっている。これにより、この違いを手で確かめて、この違いを認識するようにして、遊戯の幅が広がり、身体改善に有効となる。この粒状体６、７、８は、遠赤外線効果、抗菌効果、消臭効果において異なっている。これにより、３つのお手玉１、２、３は、通常のお手玉お遊びで、１つの手を順次接触して通過していくので、１つの手は遠赤外線効果、抗菌効果、消臭効果を漏れなく享受でき、身体改善に有効となる。もし、１つのお手玉に複数の粒状体６、７、８を混ぜてしまうと、赤外線効果、抗菌効果、消臭効果が相殺しあってしまうことがある。【選択図】図２
2017221513.tif 000002
【特許請求の範囲】
【請求項１】
有限面状に形成される可撓性のあるシート体と、
このシート体の中に収納される多数の粒状体と、よりなる複数のお手玉の組み合わせであって、
この複数のお手玉それぞれの粒状体の大きさ、硬さ、比重、または形状は異なっていることを特徴とするお手玉の組み合わせ。
【請求項２】
上記複数のお手玉それぞれの粒状体は、遠赤外線効果、抗菌効果、または消臭効果において異なっていることを特徴とする請求項１記載のお手玉の組み合わせ。
【請求項３】
上記可撓性のあるシート体より可撓性が少なく、当該シート体の外面に設けられた、当該シート体より小さい刺激体をさらに備えたことを特徴とする請求項２記載のお手玉の組み合わせ。
【請求項４】
上記刺激体の可撓性は上記粒状体の可撓性より低い、またはほぼ同じであることを特徴とする請求項３記載のお手玉の組み合わせ。
【請求項５】
上記刺激体の可撓性、硬さまたは形状は、上記複数のお手玉それぞれで異なっていることを特徴とする請求項４記載のお手玉の組み合わせ。
【請求項６】
上記シート体の中に上記粒状体とともに収納され、力が加わるまたは加速度が加わると音を出す発音体をさらに備えたことを特徴とする請求項２記載のお手玉の組み合わせ。
【請求項７】
上記発音体の出す音の高さ、大きさ、音色は、上記複数のお手玉それぞれで異なっていることを特徴とする請求項６記載のお手玉の組み合わせ。
【発明の詳細な説明】
【技術分野】
【０００１】
本発明は、お手玉の組み合わせに関し、玩具のほか、リハビリ、認知症防止、血行促進、褥瘡防止、疲労回復などのためのものに関する。
【背景技術】
【０００２】
このようなお手玉は、遊ぶ玩具のほか、リハビリ、認知症防止、血行促進、褥瘡防止、疲労回復など、種々の対策のために考えられてきた。
【０００３】
【特許文献１】特開２００５−１３７８２６号公報
【特許文献２】特開２００４−１０５４２９号公報
【特許文献３】特開２００２−０７８８２２号公報
【発明の開示】
【発明が解決しようとする課題】
【０００４】
本発明は、上述した課題を解決・達成するためになされたものであり、本発明の目的は、玩具として遊戯の範囲を広げるほか、リハビリ、認知症防止、血行促進、褥瘡防止、疲労回復、うつ病などの精神疾患改善、集中力向上、脳活性化、つぼ刺激など、身体改善の種々の対策にも有効なお手玉の組み合わせを提供することにある。
【課題を解決するための手段】
【０００５】
このため、本発明のお手玉の組み合わせは、  有限面状に形成される可撓性のあるシート体と、  このシート体の中に収納される多数の粒状体と、よりなる複数のお手玉の組み合わせであって、  この複数のお手玉それぞれの粒状体の大きさ、硬さ、比重、または形状は異なっているようにした。
【発明の効果】
【０００６】
これにより、複数のお手玉それぞれの粒状体の大きさ、硬さ、比重、または形状は異なっているため、これを手で確かめて、この違いを認識するようにして、リハビリ、認知症防止、血行促進、褥瘡防止、疲労回復、うつ病などの精神疾患改善、集中力向上、脳活性化、つぼ刺激など、身体改善の種々の対策に有効とすることができる。
【０００７】
また、上記複数のお手玉それぞれの粒状体は、遠赤外線効果、抗菌効果、または消臭効果において異なっていれば、複数のお手玉は、通常のお手玉お遊びで、１つの手を順次接触して通過していくので、１つの手は遠赤外線効果、抗菌効果、消臭効果を漏れなく享受でき、上記身体改善に有効となる。
【０００８】
もし、１つのお手玉に複数の粒状物を混ぜてしまうと、赤外線効果、抗菌効果、消臭効果が相殺しあってしまうことがある。なお、「有限面」とは、球体、楕円球体、卵形、鏡餅形、円盤形、ソーセージ形、直方体、立方体、多面体の各表面ように、面の広がりが有限のものをいい、双曲面のように無限に広がるものは含まない。
【図面の簡単な説明】
【０００９】
【図１】お手玉１、２、３の組み合わせの外観を示す。
【図２】お手玉１、２、３内に収納される粒状体６、７、８を示す。
【図３】お手玉１、２、３内に収納される発音体１１、１２、１３を示す。.
【発明を実施するための最良の形態】
【００１０】
（１）お手玉１、２、３の組み合わせの外観
図１は本発明の実施形態のお手玉１、２、３の組み合わせの外観を示す。本実施形態では、本お手玉の組み合わせは、複数、例えば３つのお手玉１、２、３からなっている。可撓性のある円形の２枚の布からなるシート体４、４の周縁が互いに縫合され、お手玉１の外面が有限面状に形成される。
【００１１】
このシート体４、４には、光触媒塗料が塗付、または含浸され、または光触媒作用のある糸で織られ、手垢、手汗、雑菌、細菌が付着しても、光が当たれば、腐敗が防止されて消臭効果が発揮され、殺菌または減菌されて抗菌効果が発揮される。
【００１２】
このシート体４、４の外面の模様または色彩は、お手玉１、２、３でそれぞれ異なっており、または模様は同じで色彩のみ異なっており、視覚上、区別できる。したがって、視力の弱い人の眼の訓練などが可能となり、また耳や口の不自由な人は眼で識別でき、リハビリ、身体改善などに役立つ。
【００１３】
なお、シート体４、４の布の糸、または織り方が異なっていて、シート体４、４の手触りがお手玉１、２、３でそれぞれ異なっていてもよい。また、シート体４、４の外面の模様または色彩、手触りは、お手玉１、２、３で同じでもよい。
【００１４】
上記円形のシート体４、４の中心付近には、小さい穴があけられ、円板状の刺激体５が取り付けられている。この刺激体５は、円形の雌のスナップと、これと嵌着する円形の雄のスナップとからなり、上記小さい穴の内側に雌のスナップ、外側に雄のスナップが配置され、雄部分がこの小さな穴を挿通して雌のスナップに嵌合され、これにより刺激体５が円形のシート体４、４がけられる。これは、上記シート体４、４どうしの縫合の前に行われる。
【００１５】
この刺激体５は、上記シート体４、４より可撓性が少なく硬くなっており、シート体４、４の大きさより小さく、シート体４、４の外面に設けられることになる。これにより、お手玉１、２、３に手が振れたとき、または積極的に身体のつぼなどに当て、刺激体５が手、身体への刺激となって、リハビリ、認知症防止、血行促進、褥瘡防止、疲労回復、うつ病などの精神疾患改善、集中力向上、脳活性化、つぼ刺激などの身体改善に効果を発揮する。
【００１６】
この刺激体５は、３つのお手玉１、２、３で、それぞれ、可撓性、硬さまたは形状が異なっている。これにより、３つのお手玉１、２、３を触った時、３つそれぞれの違いがわかり、目の不自由な人でも、お手玉１、２、３で遊ぶことができ、お手玉１、２、３の遊戯の範囲が広がる。
【００１７】
また、眼の健常者でも目隠しをして言い当てる遊びができ、お手玉１、２、３の遊戯の範囲が広がる。このようなお手玉１、２、３ごとの刺激体５の違いによって、リハビリ、認知症防止、血行促進、褥瘡防止、疲労回復、うつ病などの精神疾患改善、集中力向上、脳活性化、つぼ刺激などの身体改善にも効果を発揮する。
【００１８】
上記３つの刺激体５…の違いは、例えば円形、方形、三角形という形状の違い、表面または周縁の凹凸の有無または凹凸の大きさの違いによるほか、刺激体５に使用される樹脂の材質の硬度が変えられ、硬さまたは可撓性が変えられる。さらに、３つの刺激体５…の色彩、模様も異なっていてもよい。これにより、目の視力の弱い人の眼の訓練などが可能となり、また耳や口の不自由な人は眼で識別でき、身体改善などに役立つ。
【００１９】
なお、１つのお手玉１、２、３の表の刺激体５と裏面の刺激体５とは、同じものでもよいし、上記のように異なるものでもよい。表裏で異なれば、表裏の違いを区別するための、上記遊戯、身体改善などができる。なお、３つの刺激体５…の違いはなく、全く同じものでもよい。
【００２０】
（２）粒状体６、７、８
図２はお手玉１、２、３内に収納される粒状体６、７、８を示す。上記シート体４、４の互いの周縁の縫合にあたり、一部の縫合を残して、袋状の状態で、この中に多数の粒状体６、７、８が収納される。
【００２１】
上記粒状体６は、例えば、トリマリン（ケイ酸塩鉱物、電気石）、シリカまたは珪石の粒状物である。したがって、粒状体６は、後述する他の粒状体７、８に比べて、遠赤外線を発生し、硬く、比重は重く、大きさは大きく、表面形状はゴツゴツしている。
【００２２】
上記粒状体７は、例えば、竹小豆、小豆または丸大豆の植物性の種、豆などの粒状物である。したがって、粒状体７は、上述または後述する他の粒状体６、８に比べて、遠赤外線はあまり発生せず、消臭効果があり、粒状体６より柔らかく、粒状体８より硬く、粒状体６より比重は軽く、粒状体８より比重は重く、大きさは粒状体６、８より小さく、表面形状はツルツルしている。
【００２３】
上記粒状体８は、例えば、茶殻と樹脂から製造されたお茶パイプなどの中空の粒状物である。したがって、粒状体８は、上述した粒状体６、７に比べて、遠赤外線はあまり発生せず、抗菌効果があり、粒状体６、７より柔らかく、粒状体６、７より比重は軽く、大きさは粒状体６より小さく粒状体７より大きく、形状はパイプ状で、表面形状はツルツルしている。
【００２４】
このように、これら粒状体６、７、８の大きさ、硬さ、比重、または形状は、互いに異なるものであり、この複数のお手玉１、２、３それぞれの粒状体の大きさ、硬さ、比重、または形状は異なる。
【００２５】
これにより、３つのお手玉１、２、３を触った時、粒状体６、７、８のこれらの違いによって、３つそれぞれの違いがわかり、目の不自由な人でも、お手玉１、２、３で遊ぶことができ、お手玉１、２、３の遊戯の範囲が広がる。
【００２６】
また、眼の健常者でも目隠しをして言い当てる遊びができ、お手玉１、２、３の遊戯の範囲が広がる。このようなお手玉１、２、３ごとの粒状体６、７、８の違いによって、上記身体改善にも効果を発揮する。
【００２７】
また、上述のように、これら粒状体６、７、８の遠赤外線効果、抗菌効果、または消臭効果、互いに異なるものであり、この複数のお手玉１、２、３それぞれの粒状体の遠赤外線効果、抗菌効果、または消臭効果は異なる。
【００２８】
もし、粒状体６、７、８を混ぜて１つのお手玉に入れると、遠赤外線効果、抗菌効果、消臭効果が相殺しあって、十分に効果を発揮できないことがある。また、遠赤外線を発する粒状体６が他の粒状体７、８で覆い隠されてしまうと、遠赤外線がお手玉の外まで放出されなくなる。
【００２９】
これに対して、このような異なる粒状体６、７、８を３つのお手玉１、２、３に分ければ、遠赤外線効果、抗菌効果、消臭効果それぞれを十分に発揮できる。また、３つのお手玉１、２、３は、通常のお手玉お遊びで、１つの手を順次接触して通過していくので、１つの手は遠赤外線効果、抗菌効果、消臭効果を漏れなく享受でき、上記身体改善に有効となる。
【００３０】
上記お手玉１、２、３の外面の刺激体５は、お手玉１、２、３内蔵の粒状体６、７、８より、硬く、可撓性が低いか、ほぼ同じである。すなわち、刺激体５は、比較的硬い粒状体６、７とほぼ同じで、柔らかいお茶パイプの粒状体８より硬い。これにより、刺激体５への手触りが、粒状体６、７、８への手触りの中に埋もれず、お手玉１、２、３を手でつかんだとき、手の感触において、粒状体６、７、８の中から刺激体５をしっかり区別できる。
【００３１】
（３）発音体１１、１２、１３
図３はお手玉１、２、３内に収納される発音体１１、１２、１３を示す。上記シート体４、４の互いの周縁の縫合にあたり、一部の縫合を残して、袋状の状態で、この中に発音体１１、１２、１３が上記粒状体６、７、８とともに収納される。
【００３２】
上記発音体１１は、例えば、大きな空洞の球体の中に大型の鈴を内蔵したものであり、力が加わるまたは加速度が加わると音を出す。上記発音体１２は、例えば、小さな空洞の球体の中に小型の鈴を内蔵したものであり、力が加わるまたは加速度が加わると音を出す。発音体１１、１２の球体は、図３では透明に表わしているが、不透明でもよく、音を外に出すためのスリットが設けられている。
【００３３】
上記発音体１３は、例えば、密封されたビニル袋の中に弾力性のあるスポンジが内蔵され、このビニル袋の端に密封を維持したまま小型の笛が取り付けられ、力が加わるまたは加速度が加わってスポンジが押されると小型の笛に空気が通りこの笛が発音される。
【００３４】
発音体１１及び発音体１３の音の大きさは大きく、発音体１２の音の大きさはこれらより小さい。発音体１３の音の高さは低く、発音体１１の音の高さはこれよりやや高く、発音体１２の音の高さはさらに高い。発音体１１、１２の音色はほぼ同じであるが、発音体１３の音色はこれらより異なっている。
【００３５】
これにより、３つのお手玉１、２、３に力が加わったとき、または放り投げる等加速度を加えたとき、発音体１１、１２、１３のこれらの音の違いによって、３つそれぞれの音の違いがわかり、目の不自由な人でも、お手玉１、２、３で遊ぶことができ、お手玉１、２、３の遊戯の範囲が広がる。
【００３６】
また、眼の健常者でも目隠しをして音で言い当てる遊びができ、お手玉１、２、３の遊戯の範囲が広がる。このようなお手玉１、２、３ごとの発音体１１、１２、１３の違いによって、上記身体改善にも効果を発揮する。
【００３７】
上記お手玉は２つ以上あればよく、お手玉１、２、３で同時に遊戯・身体改善する人数は１人でも複数でもよく、遊戯の仕方は、古来からのものも含み、一人の両手によるが、手の不自由な人ならば片手でもよく、複数の人による場合には、複数の人の手を、お手玉１、２、３が渡っていき、１つの手は遠赤外線効果、抗菌効果、消臭効果を漏れなく享受でき、上記身体改善に有効となる。
【００３８】
お手玉１、２、３の遊戯は、単数又は複数の人で、場合によって動物を加えて、口（手の不自由な人、動物）、足（手の不自由な人）、または左右の手を使い、お手玉１、２、３を上方へ投げて、受け取って、順次リレーするものがある。
【００３９】
お手玉１、２、３の遊戯は、目の不自由な人、または目隠しをした人で、または目隠しをしないで、お手玉１、２、３を触って、お手玉１、２、３を振って、またはお手玉１、２、３を投げて、音で、または手の感触で、内蔵の粒状体６、７、８、または発音体１１、１２、１３を当てるものがある。
【００４０】
（４）他の実施の形態
本発明は上記各実施例に限定されず、本発明の趣旨を逸脱しない範囲で種々変更可能である。例えば、上記お手玉１、２、３の形状は、球体、楕円球体、卵形、鏡餅形、円盤形、ソーセージ形、直方体、立方体、多面体など、どのような形状でもよいし、個数は２つでも、４つ以上でもよい。
【００４１】
上記シート体４、４は、布、樹脂シート、網、透明シート、木材、硬質ウレタン、軟質ウレタン製、籐製、竹、金属、ゴム、紙、カーボン、金属、これらの合成物製／混合物製／多層積層物製／複合材料でもよいし、赤外線効果、抗菌効果、消臭効果、乾燥効果を有するものでもよい。
【００４２】
上記シート体４、４、刺激体５、粒状体６、７、８は、光触媒加工された、抗菌、消臭作用のある素材、例えば、二酸化チタン、ＣｄＳ、ＣｄＳｅ、ＷＯ３、Ｆｅ２Ｏ３、ＳｒＴｉＯ３、ＫＮｂＯを含む素材、シャインアップ（繊維、布、綿、株式会社クラレの製品）、ディスメル（東洋紡績株式会社の商品）、エピコモド（東洋紡績株式会社の登録商標、東洋紡績株式会社の商品）、キチンキトサン繊維、「サニター３０」、繊維にカキタンニンを含むまたは付着された繊維、これらの混合物など、何でもよい。シャインアップは、ポリエステル繊維とナイロン繊維とからなる複合繊維に金属含有セラミックス系の特殊消臭剤が練り込まれており、二酸化チタンによる光触媒反応により消臭と抗菌効果が発揮される。
【００４３】
上記シート体４、４、刺激体５、粒状体６、７、８は、バンブー繊維布、立体構造編物、クッション体、遠赤外線を発する素材、粉末鉄のように発熱効果のあるもの、ロンウェーブ、羊毛ゼオライト、溶岩シーツ（おとぎの国）、ヤンロン加工布、トルマリン粒子が付着した布またはバイネストセラなどを用いてもよい。「羊毛ゼオライト」、「バイネストセラ」は、天然鉱石であるゼオライトを加工したセラミックスとその微粒子を羊毛などの天然繊維の表面に堅牢に付着させたもの、これらの混合物でもよい。
【００４４】
上記お手玉１、２、３のうちの１つ、２つまたは３つに内蔵される粒状体は、上記粒状体６、７、８のうちの２種類または３種類、その他の粒状体を混合したものでもよい。この場合には、赤外線効果、抗菌効果、消臭効果が相殺しあわない性質、大きさ、硬さ、比重、形状、構造の粒状体が選ばれる。
【００４５】
上記粒状体６、７、８の形状は、球体、楕円球体、卵形、鏡餅形、円盤形、ソーセージ形、円筒形、円柱形、直方体、立方体、円錐、角錐、ひょうたん形、多面体など、どのような形状でもよい。粒状体６、７、８の素材は、ゼオライト、その他の鉱物、岩石、小石、樹脂、種子、豆、セラミック、トルマリン粒子、硬質ウレタン、軟質ウレタン、籐、竹、木材、樹脂、金属、ガラス、ゴム、紙、カーボン、二酸化チタン、ＣｄＳ、ＣｄＳｅ、ＷＯ３、Ｆｅ２Ｏ３、ＳｒＴｉＯ３、ＫＮｂＯを含む素材、その他の赤外線効果、保温効果、加温効果、抗菌効果、防菌効果、殺菌効果、消臭効果、防臭効果、吸湿効果、乾燥効果を発揮する素材、これらの合成物製／混合物製／多層積層物製／複合材料でもよい。
【００４６】
上記刺激体５の形状は、半球体、半楕円球体、半卵形、半鏡餅形、半円盤形、半ソーセージ形、三角形板、多角形板、星形板、花びら形板、直方体、立方体、多面体など、どのような形状でもよいし、表面に異なる文字、記号、図形が形成されたものでもよい。刺激体５は、１つのお手玉１、２、３に１つでもよいし、無くてもよいし、３つ以上、または多数設けられてもよい。
【００４７】
刺激体５は、粒状体６、７、８より柔らかくて可撓性が高くてもよいし低くてもよいし同じでもよい。刺激体５のシート体４、４への取り付けは、スナップ、ファスナー、線ファスナー、接着剤、接着テープ、フック及びホック、磁石、縫合、ボルト及びナット、ねじなどなんでもよい。
【００４８】
上記お手玉１、２または３の各粒状体６、７または８の大きさ、硬さ、比重、または形状は同じでもよい。上記お手玉１、２または３の各粒状体６、７または８は、遠赤外線効果、抗菌効果、または消臭効果において同じもよい。刺激体５は、シート体４、４より可撓性が高くてもよいし低くてもよいし同じでもよい。  
【００４９】
上記刺激体５の可撓性、硬さまたは形状は、上記複数のお手玉１、２または３それぞれで同じでもよい。上記発音体１１、１２または１３の出す音の高さ、大きさ、音色は、上記複数のお手玉１、２または３それぞれで同じでもよい。上記シート体４、４の外面の模様、色彩または形状は、お手玉１、２または３でそれぞれ同じでもよい。
【００５０】
上記発音体１１、１２、１３は、各お手玉１、２、３に同じものまたは異なるものが複数ずつ収納されてもよいし、何れか１つまたは複数が無くてもよい。上記発音体１１、１２、１３は、鈴、笛、鐘、加速度センサによって発音する電子発音素子、弾くことによる音、衝突することによる音、擦れることによる音、物が動くことによる音でもよいし、粒状体６、７、８と発音体１１、１２、１３とが兼用されてもよい。
【００５１】
上述のお手玉１、２、３、シート体４、４、刺激体５、粒状体６、７、８、発音体１１、１２、１３は、単数でも複数でも３つ以上でもよいし、これらそれぞれの一部または全体は省略されてもよいし、分割分離されてその数が増えても減ってもよいし、その形状は任意に変更可能であり、均等の他の物に置き換えられてもよいし、これらの２つまたは３つ以上が合体または一体化されて兼用されてもよいし、向きは図示のもののほか、９０度、０度乃至１８０度、上下、左右、前後、手前、奥に傾斜／向きを変えて／反転されて使用されてもよく、それぞれの寸法の相対的大小は切り換えられてもよいし同じでもよく、これらの材質は繊維製、布製、樹脂製のほか、硬質ウレタン製、軟質ウレタン製、籐製、竹製、樹脂製、金属製、ガラス製、綿製、糸製、繊維製、ゴム製、紙製、セラミック製、カーボン製、金属製、樹脂製、これらの合成物製／混合物製／多層積層物製／複合材料でもよいし、それぞれの間の固定は、面ファスナー、線ファスナー、接着剤、接着テープ、フック及びホック、磁石、縫合、ボルト及びナット、ねじなどなんでもよい。
【００５２】
（５）他の発明の効果
［１］有限面状に形成される可撓性のあるシート体と、  このシート体の中に収納される多数の粒状体と、よりなる複数のお手玉の組み合わせであって、  この複数のお手玉それぞれの粒状体の大きさ、硬さ、比重、または形状は異なっていることを特徴とするお手玉の組み合わせ。
【００５３】
［２］上記複数のお手玉それぞれの粒状体は、遠赤外線効果、抗菌効果、または消臭効果において異なっていることを特徴とする請求項１記載のお手玉の組み合わせ。これにより、複数のお手玉は、通常のお手玉お遊びで、１つの手を順次接触して通過していくので、１つの手は遠赤外線効果、抗菌効果、消臭効果を漏れなく享受でき、上記身体改善に有効となる。もし、１つのお手玉に複数の粒状物を混ぜてしまうと、赤外線効果、抗菌効果、消臭効果が相殺しあってしまうことがある。
【００５４】
［３］上記可撓性のあるシート体より可撓性が少なく、当該シート体の外面に設けられた、当該シート体より小さい刺激体をさらに備えたことを特徴とする請求項２記載のお手玉の組み合わせ。これにより、お手玉に手が振れたとき、または積極的に身体のつぼなどに当て、刺激体が手、身体への刺激となって、身体改善に効果を発揮する。
【００５５】
［４］上記刺激体の可撓性は上記粒状体の可撓性より低い、またはほぼ同じであることを特徴とする請求項３記載のお手玉の組み合わせ。これにより、刺激体への手触りが、粒状体への手触りの中に埋もれず、お手玉を手でつかんだとき、手の感触において、粒状体の中から刺激体をしっかり区別できる。
【００５６】
［５］上記刺激体の可撓性、硬さまたは形状は、上記複数のお手玉それぞれで異なっていることを特徴とする請求項４記載のお手玉。これにより、複数のお手玉を触った時、粒状体の違いによって、それぞれの違いがわかり、目の不自由な人でも、お手玉で遊ぶことができ、お手玉の遊戯の範囲が広がる。また、眼の健常者でも目隠しをして言い当てる遊びができ、お手玉の遊戯の範囲が広がる。さらに、このようなお手玉ごとの粒状体の違いによって、上記身体改善にも効果を発揮する。
【００５７】
［６］上記シート体の中に上記粒状体とともに収納され、力が加わるまたは加速度が加わると音を出す発音体をさらに備えたことを特徴とする請求項２記載のお手玉の組み合わせ。これにより、手の感触に障害のある人でも、耳で複数のお手玉を区別でき、身体改善につながる。
【００５８】
［７］上記発音体の出す音の高さ、大きさ、音色は、上記複数のお手玉それぞれで異なっていることを特徴とする請求項６記載のお手玉。これにより、発音体の音の違いによって、それぞれの音の違いがわかり、目の不自由な人でも、お手玉で遊ぶことができ、お手玉の遊戯の範囲が広がる。また、眼の健常者でも目隠しをして音で言い当てる遊びができ、お手玉の遊戯の範囲が広がる。さらに、このようなお手玉ごとの発音体の音の違いによって、上記身体改善にも効果を発揮する。
【産業上の利用可能性】
【００５９】
複数のお手玉内蔵の各粒状体の大きさ、硬さ、比重、形状を異らせて、遊戯の幅を広げ、身体改善につなげる。各粒状体の遠赤外線効果、抗菌効果、消臭効果を複数のお手玉に完全に分けて、各効果が相殺されないようにした。複数のお手玉を使って遊戯の幅を広げ身体改善をはかる。
【００６０】
３つのお手玉１、２、３それぞれに内蔵される粒状体６、７、８の大きさ、硬さ、比重、または形状は異なっている。これにより、この違いを手で確かめて、この違いを認識するようにして、遊戯の幅が広がり、身体改善に有効となる。この粒状体６、７、８は、遠赤外線効果、抗菌効果、または消臭効果において異なっている。
【００６１】
これにより、３つのお手玉１、２、３は、通常のお手玉お遊びで、１つの手を順次接触して通過していくので、１つの手は遠赤外線効果、抗菌効果、消臭効果を漏れなく享受でき、身体改善に有効となる。もし、１つのお手玉に複数の粒状体６、７、８を混ぜてしまうと、赤外線効果、抗菌効果、消臭効果が相殺しあってしまうことがある。
【符号の説明】
【００６２】
１、２、３…お手玉  ４…シート体
５…刺激体（お手玉１、２、３）
６…粒状体（お手玉１）  ７…粒状体（お手玉２）
８…粒状体（お手玉３）  １１…発音体（お手玉１）
１２…発音体（お手玉２）  １３…発音体（お手玉３）
【図１】
2017221513.tif 000003
【図２】
2017221513.tif 000004
【図３】
2017221513.tif 000005